(57)【要約】【課題】逆委託加工貿易での加算要素の残高を作業量を大幅に削減しかつ正確に演算する。【解決手段】輸出ドキュメント部１１は、海外での製品製造のために無償輸出される無償材料の数量及び単価、並びに、個別契約番号毎の製品発注数を入力するための入力画面をモニタ６０上に表示し、輸入評価引落演算部３１は、入力されたデータに基づいて、製品を輸入する度に無償材料の評価引落金額を演算してデータ記憶部４０に記憶する。該演算においては、今回輸入された製品に対応する無償材料の評価引落金額を演算するが、評価引落金額＝評価引落金額残合計／製品契約数量残合計×今回の製品引落数量（製品輸入数量）、（ただし、評価引落金額残合計＝課税金額計−評価引落金額計、製品契約数量残合計＝製品契約数量−製品引落数量計）として演算する。【選択図】図２
0003143413.tif 000002
【実用新案登録請求の範囲】
【請求項１】
コンピュータ・ソフトウエアにより、逆委託加工貿易での輸入通関申告用の加算要素の評価残高を管理する評価残高管理システムにおいて、
データ記憶部と、
輸出ドキュメントの作成を支援する手段であって、海外での製品の製造のために無償で輸出される原材料及び付属品である無償材料の数量及び単価、並びに、個別契約番号毎の製品発注数を少なくとも入力するための入力欄を備えた入力画面をモニタ上に表示する輸出ドキュメント作成支援部と、
製品を輸入する度に無償材料の評価引落金額を演算する演算手段であって、
輸出ドキュメント作成支援が提供する入力画面上で入力された無償材料の数量及び単価に基づき、無償材料全体の評価金額を演算してデータ記憶部に記憶する第１の演算手段と、
該無償材料を用いて製造された製品を輸入する度に、今回輸入された製品に対応する無償材料の評価引落金額を演算してデータ記憶部に記憶する第２の演算手段であって、評価引落金額を、
評価引落金額
＝評価引落金額残合計／製品契約数量残合計×今回の製品引落数量（製品輸入数量）
ただし、評価引落金額残合計＝課税金額計−評価引落金額計
製品契約数量残合計＝製品契約数量−製品引落数量計
により演算する第２の演算手段と
からなる演算手段と
を備えていることを特徴とする評価残高管理システム。
【請求項２】
請求項１記載の評価残高管理システムにおいて、
第１の演算手段は、無償材料が追加輸出される度に、無償材料全体の評価金額を再度演算してデータ記憶部に記憶するよう構成されている
ことを特徴とする評価残高管理システム。
【請求項３】
請求項１又は２記載の評価残高管理システムにおいて、
該システムはさらに、製品の今後の輸入予定があるかどうかを入力する入力欄をモニタ上に表示する手段を備えており、
該入力欄に更なる輸入予定がないと入力された場合に、第２の演算手段は、データ記憶部に記憶された無償材料の評価引落金額残合計の全てを、その回の輸入製品に関する無償材料の評価引落金額として割り当てるよう構成されている
ことを特徴とする評価残高管理システム。
【請求項４】
コンピュータ・ソフトウエアにより、逆委託加工貿易での輸入通関申告のデータを管理するシステムにおいて、
請求項１〜３いずれかに記載の評価残高管理システムと、
製品を輸入する度に、通関業者への通関依頼の作成を支援する手段と
を備えていることを特徴とするシステム。
【考案の詳細な説明】
【技術分野】
【０００１】
本考案は、輸入通関申告における加算要素の評価残高管理システムに関する。より詳細には、本考案は、逆委託加工貿易、すなわち、海外の企業に対して、日本から原材料を無償で提供して製品の製造を依頼し、製造された製品を海外の企業から輸入する場合の、輸入通関申告における加算要素の評価残高を管理する管理システムに関する。
【背景技術】
【０００２】
海外から製品を輸入する場合、輸入通関申告すなわち納税申告を行わなければならない。なお、輸入通関申告とは、輸入しようとする製品の内容（品名・数量・単価・金額等）が正しく記載されたインボイスを元に、その他の加算要素を加えた正しい税番税率で輸入納税の申告を行うことを意味している。
この輸入通関申告では、インボイス（ＩＮＶＯＩＣＥ）価格に関税定率法第４条第１項に記載の『加算要素』を加えた『課税価格』に基づき、関税を算出し申告しなければならず、この加算要素として、関税定率法第４条第１項には、以下のものがあげられている。
１．輸入港までの輸送に要する運賃
２．買手により負担される次の費用
仲介料等の手数料
容器及び包装の費用
３．買手が無償（又は値引き）で直接又は間接に提供（輸出）された物品・役務の費用
輸入製品に組み込まれた材料・部分品等の費用
輸入貨物に組み込まれた工具・鋳型等の費用
生産過程で使用される消耗品の費用
生産技術・設計等の役務の費用
４．特許権等の知的財産権の費用
【０００３】
衣料品を一例として、逆委託加工貿易における関税額の計算について説明する。日本からは表地、裏地、ボタン、ファスナ、縫糸等の原材料すべてを無償で中国等の海外へ輸出し、そして海外の工場で縫製した後、日本へ輸入している。この場合、原材料を無償で輸出しているため、縫製会社である海外の荷送り人（シッパー）のインボイス価格には、縫製賃しか含まれていない。しかし、実際に製造された衣料品の価値は、該インボイス価格（縫製賃）に日本から輸出された原材料の価値等を加算要素として加えたものでなければならない。そのため、１枚あたりに使用される生地、ボタン、ファスナ等の数量を計算し、これにそれぞれの輸出単価を掛け、この合計値に他の加算要素を加算したものに、インボイス価格である縫製賃を加えて当該衣料品１枚あたりの価値を算出する。さらに、これに輸入枚数を掛けて課税価格を算出し、その課税価格に関税率を掛けて関税額を計算している。
【考案の開示】
【考案が解決しようとする課題】
【０００４】
従来、上記した輸入通関申告用の一連の作業をすべて手計算にて行っていた。しかし、海外での縫製技術が向上するに従い、日本から輸出される原材料の種類が多岐に亘るようになり、製品化された衣料品を輸入する度に１枚あたりの課税価格を細かく計算しなければならず、さらに輸入通関申告の際にはこの課税価格を証明するエビデンスを添付せねばならず、非常に手間のかかる複雑な作業となっている。
【０００５】
また、１つの輸入契約に対し原材料が１回で輸出されれば良いが、複数回に亘って輸出される場合が多く、さらに製品が輸入される場合も複数回に亘って行われることが一般的になっている。これは、日本での製品の売れ具合等に応じて製品の製造数を調整する必要があることから生じるものである。このように複数回にわたって原材料を輸出し製品を輸入する場合、どの輸出原材料がどの輸入製品に紐付くのか、その紐付け作業を行いながら加算要素を手計算で算出することは、もはや人的能力を超えた極めて複雑な作業となっている。
例えば、縫製された衣料品が複数回に亘って輸入される場合、無償で海外へ輸出された原材料のうち当該輸入分に使用された原材料がどれくらいかを計算するにあたっては、当初輸出された全原材料を輸入予定の衣料品総数に占める当該輸入分の割合で按分し、加算要素として加える必要がある。このような加算要素を手計算で行うことは、極めて複雑である。
【０００６】
また、上記の手計算での作業が極めて煩雑であることから、申告納税額の算出においても間違いが多く発生している実情であり、関税申告額を間違った場合は、その後に修正申告が必要となる。
このような事情に鑑み、本発明の目的は、輸入通関の申告納税を正確に演算するために、製品の輸入の度に、加算要素の残高を正確かつ事務作業量を大幅に削減して演算できるようにするためのツールを提供することである。
【課題を解決するための手段】
【０００７】
上記した目的を達成するために、本考案に係る、コンピュータ・ソフトウエアにより、逆委託加工貿易での輸入通関申告用の加算要素の評価残高を管理する評価残高管理システムは、
データ記憶部と、
輸出ドキュメントの作成を支援する手段であって、海外での製品の製造のために無償で輸出される原材料及び付属品である無償材料の数量及び単価、並びに、個別契約番号毎の製品発注数を少なくとも入力するための入力欄を備えた入力画面をモニタ上に表示する輸出ドキュメント作成支援部と、
製品を輸入する度に無償材料の評価引落金額を演算する演算手段であって、
輸出ドキュメント作成支援が提供する入力画面上で入力された無償材料の数量及び単価に基づき、無償材料全体の評価金額を演算してデータ記憶部に記憶する第１の演算手段と、
該無償材料を用いて製造された製品を輸入する度に、今回輸入された製品に対応する無償材料の評価引落金額を演算してデータ記憶部に記憶する第２の演算手段であって、評価引落金額を、
評価引落金額
＝評価引落金額残合計／製品契約数量残合計×今回の製品引落数量（製品輸入数量）
ただし、評価引落金額残合計＝課税金額計−評価引落金額計
製品契約数量残合計＝製品契約数量−製品引落数量計
により演算する第２の演算手段と
からなる演算手段と
を備えていることを特徴としている。
【０００８】
上記した本考案に係る評価残高管理システムにおいて、第１の演算手段は、無償材料が追加輸出される度に、無償材料全体の評価金額を再度演算してデータ記憶部に記憶するよう構成されていることが好ましい。また、さらに、製品の今後の輸入予定があるかどうかを入力する入力欄をモニタ上に表示する手段を備えており、該入力欄に更なる輸入予定がないと入力された場合に、第２の演算手段は、データ記憶部に記憶された無償材料の評価引落金額残合計の全てを、その回の輸入製品に関する無償材料の評価引落金額として割り当てるよう構成されていることが好ましい。
本発明はまた、コンピュータ・ソフトウエアにより、逆委託加工貿易での輸入通関申告のデータを管理するシステムを提供し、該システムは、上記した評価残高管理システムと、製品を輸入する度に、通関業者への通関依頼の作成を支援する手段とを備えていることを特徴としている。
【考案の効果】
【０００９】
本考案は、上記したように構成されているので、以下のような作用効果を奏することができる。
・本考案に係る輸入通関用の評価残高管理システムの導入により、原材料及び付属品の輸出や製品輸入が複数回にまたがった場合であっても、関税申告額の間違いがほとんどなくなる。
・間違いが無くなることから、税関により当該システムの信頼性が高く評価されるため、輸入通関申告の際に従来添付していたエビデンス書類が不要となる。
・輸入通関件数が年間数万件以上となっても、本考案に係る評価残高管理システムを利用する場合の１件当たりの処理に必要な時間は、これまでの手計算による作業時間に比べ、約１０分の１となり、担当者の事務作業量が激減する。
・担当者の事務処理量の激減により、輸入通関申告までのスピードが更に速まり、同業他社に対しての競争力が高まる。
【考案を実施するための最良の形態】
【００１０】
本考案に係る輸入通関申告用の評価残高管理システム（以下、単に「評価残高管理システム」）の詳細な構成を説明する前に、輸入通関を取り巻く業者等による業務を、図１を参照して簡単に説明する。図１において、１は輸出入商社、２は発注者、３は付属業者、４は税関、５は通関業者、６は海外の製品製造工場（海外工場）である。
商社１は、発注者２から海外での製品の製造が発注されると、原材料を付属業者３に連絡して手配し、必要な原材料及び付属品を該付属業者３から海外工場６に輸出するよう指示する。このとき、通関業者５により船積依頼書が作成されて、税関４に申告される。このようにして原材料輸出業務が行われて、原材料及び付属品は無償で輸出され、また、輸出インボイス及びパッキングリストが、付属業者３から商社１に送られる。
【００１１】
海外工場６において注文の製品が完成すると、海外工場６は、その製品を日本に輸出する。このとき、商社１は、海外工場６から製品の輸入インボイス及びパッキングリストを受け取る。（ただし、実務上は、海外工場６から委託を受けた海外物流業者が、製品の数及び品質等を検査し、その結果を商社１に送るとともに、製品を日本に送る手配をするのが一般的である。）このようにして、製品輸入業務が行われる。
次いで、商社１は、通関に必要な情報を通関業者５に送り、通関業者５は、受け取った情報に基づいて適切な通関申告書を作成して、税関４に申告する。これにより、輸入申告業務（輸入納税申告業務）が行われる。
【００１２】
本考案の評価残高管理システムは、図１を参照して上述した、輸入申告業務を支援するためのものであり、商社１によって管理される、コンピュータによって読み取り可能なプログラム・ユニットによって実現されている。なお、本考案の評価残高管理システムを原材料輸出業務及び製品輸入業務の支援システムと組み合わせることによって、逆委託加工貿易に関するドキュメント及びデータ等を一括管理するシステムを構築することもできる。
【００１３】
図２は、本考案の評価残高管理システムの機能を表した機能ブロック図を示しており、図２に示すように、該評価残高管理システムは、原材料輸出業務支援ユニット１０、製品輸入業務支援ユニット２０、及び通関依頼業務支援ユニット３０を備えており、また、それぞれの支援ユニットの支援の下で入力されたデータ及び演算結果のデータを記憶するデータ記憶部４０を備えている。評価残高管理システムは、キーボード及びマウス等からなる入力部５０、モニタ６０、及びプリンタ７０と接続される。入力部５０、モニタ６０、プリンタ７０は、商社１、付属業者３、及び通関業者５等の適宜の複数の箇所に配置することができるが、図１においては、代表して各１個のみを示している。
【００１４】
原材料輸出業務支援ユニット１０は、輸出ドキュメント作成支援部１１、輸出インボイス入力画面提供部１２を備えている。
輸出ドキュメント作成支援部１１は、通関業者５が残高管理システムにアクセスして、メニュー選択画面（不図示）上で「輸出  船積入力」を選択したとき起動され、該通関業者５のモニタ６０上に、図３に示すような船積依頼入力画面を提供する。該入力画面は、原材料を無償で輸出するための必要事項を入力するための入力欄を備えており、該入力欄として、「依頼番号」、「通関業者」、「搬入場所」、「契約番号」、「バイヤ」、「仕向地」、「分割船積（分割の何回目か及び残りあり／なし）」、「荷受人」、「有償／無償」、「搬入予定日」、「輸出Ｌ／Ｃ」等である。この画面上で、通関業者５が必要なデータを入力すると、該入力されたデータはデータ記憶部４０に格納される。
【００１５】
輸出ドキュメント作成支援部１１の支援の下でデータ記憶部４０に格納されたデータは、修正（更新）可能であり、また、キーワード検索により、検索することもできる。
また、輸出ドキュメント作成支援部１１は、ドキュメント出力作業が選択されたとき、これらの記憶されたデータを用いて、インボイス、パッキングリスト、加工／組立輸出貨物確認申告書等の必要な輸出用ドキュメントを作成することができる。
【００１６】
輸出インボイス入力画面提供部１２は、通関業者５が残高管理システムにアクセスして、メニュー選択画面上で「評価インボイス（無償提供）入力」を選択したときに起動され、図４に示すような入力画面を提供する。該入力画面は、「インボイス番号」毎に、「輸入契約番号」、「通貨」、「インボイス（ＩＮＶ）金額」の入力項目を有している。これら入力は、通関業者５が、輸出ドキュメント作成部１１の機能に基づいて入力されたデータ、及び原材料等の付属業者３からのインボイスを元に、評価対象となる金額を入力することによって入力される。入力されたデータは、データ記憶部４０に記憶され、また、修正可能である。また、「評価インボイス（無償提供）入力」画面は、「レート」、「ＩＮＶ円貨金額」、「チャージ金額」、「本体チャージ金額」の表示欄を備え、原材料輸出業務支援ユニット１０は、入力されたデータに基づいて演算した結果をこれら表示欄に表示する。
【００１７】
製品輸入業務支援ユニット２０は、輸入契約明細作成部２１を備えており、該作成部２１は、商社１が評価残高管理システムにアクセスして、メニュー選択画面上で「輸入契約明細」を選択したときに起動される。そして、データ記憶部４０に予め記憶されたデータを読み出して、図５に示すような「CONTRACT SHEET」画面をモニタ６０上に表示する。この画面には、「CONTACT NO(契約番号)」、「SECT（部署）」、「SHIPPER（シッパー）」、「ZANPACHI（暫定八条適用区分）」、「PAYMENT（支払条件）」、「ALLOWANCE（輸入誤差許容範囲）」、「USE（製品用途）」、「STRUCTURE（製品組成）」、「FACTORY（工場）」、「CUSTOMER（顧客）」、「LOADING（積地）」、「DESTINATION（仕向地）」、「ARR MATERIA/ACC（糸、生地、付属品の優勝無償及び手配先）」、「No（契約行番号）」、「STYLE NO(スタイル番号)」、「COMMODITY（品名）」、」「QTY（数量）」、「UNIT（単位）」、「LAST（最終船積予定日）」、「SEA/AIR（船／航空区分）」、「INV（インボイス金額及び通貨）」、「COMPOSITION（組成）」等が含まれる。
この画面上で、オペレータは一部のデータの修正が可能であり、修正後のデータもデータ記憶部４０に記憶される。
【００１８】
通関業務支援ユニット３０は、輸入評価引落演算部３１と通関依頼支援部３２を含んでいる。
輸入評価引落演算部３１は、原材料輸出業務支援ユニット１０及び製品輸入業務支援ユニット２０の支援の下で入力されデータ記憶ユニット４０に記憶されたデータに基づいて、輸入毎の評価引落金額（すなわち、今回輸入された製品に関連して引き落とすべき原材料の引落金額）を、以下の式により演算する。
評価引落金額
＝評価金額残合計／製品契約数量残合計×今回の製品引落数量（製品輸入数量）・・・・・・（１）
ただし、評価金額残合計＝課税金額計−評価引落金額計
製品契約数量残合計＝製品契約数量−製品引落数量計
【００１９】
例えば、製品契約数量（総数）が500,000個で原材料の評価金額合計が2,000,000円であって、分割輸入の１回目で数量100,000の製品の輸入を行った場合、すなわち、
評価金額残合計＝課税金額計2,000,000−引落金額計0＝2,000,000
製品契約数量残合計＝製品契約数量500,000−製品引落数量計0＝500,000
今回の製品引落数量=100,000
の場合、評価引落金額は、以下の式により演算される。
評価引落金額
＝評価金額残合計2,000,000／製品契約数量残合計500,000×今回引落数量100,000
＝400,000円
【００２０】
また、上記した１回目の輸入の後に、分割輸入の２回目で数量200,000の製品の輸入を行う場合、すなわち、
評価金額残合計＝課税金額計2,000,000−引落金額計400,000＝1,600,000
製品契約数量残合計＝製品契約数量500,000−製品引落数量計100,000＝400,000
今回の引落数量＝200,000
の場合、評価引落金額は、以下の式により演算される。
評価引落金額
＝評価金額残合計1,6000,000／製品契約数量残合計400,000×今回の製品引落数量200,000
＝800,000円
【００２１】
３回目以降の製品の輸入においても、同様にして評価引落金額が演算される。なお、課税外貨金額（輸出インボイスが外貨建ての場合）であっても、通貨レートを考慮する必要があるが、同様の計算方法で計算できることは勿論である。  製品の輸入回毎に演算された原材料の評価引落金額は、データ記憶部４０に格納される。
なお、製品契約総数は、輸入契約に基づいてオペレータが入力するものであり、輸入契約番号に対応づけて予めデータ記憶部４０に記憶されている。また、原材料については、付属業者３（１又は複数）が原材料の課税金額及びそのインボイス番号を予め輸入契約番号に対応づけて入力したものがデータ記憶部４０に記憶されており、原材料の評価金額合計は、付属業者３によって入力された原材料の課税金額の合計として求められ、得られた評価金額合計も、輸入契約番号に対応づけてデータ記憶部４０に予め記憶されている。
図６は、「輸入評価引落入力」画面を示しており、該画面上でオペレータが「輸入契約番号」を入力すると、「製品契約総数」及び「評価金額合計」がデータ記憶部４０から読み出されて「輸入評価引落入力」画面上に表示され、また、その時点の「製品契約残数」及び「評価金残高」もデータ記憶部４０から読み出されて画面上に表示される。さらに、原材料のインボイス番号、供給業者、課税金額も表示され、また、製品輸入毎の原材料の「引落数量」及び「引落金額」も画面上に表示される。
【００２２】
通関依頼支援部３２は、各輸入回の通関用のドキュメントの作成支援を行うが、該ドキュメントの１つである「輸入貨物の評価申告書」中の「調整を要する額または率」の欄に、輸入評価引落演算部３１により演算された評価引落金額を、評価すべき金額の加算要素として挿入する。
また、通関依頼支援部３２は、関税を以下の式により求める。
関税＝輸入貨物の課税価格×関税率
＝（インボイス金額＋加算要素）×関税率  ・・・・・・・・・（２）
すなわち、式（１）により求められた引落金額と海外工場７からのインボイス金額とを加算し、その加算結果に関税率を乗算することにより、関税が求められる。
【００２３】
なお、通関依頼支援部３２の機能は、通関業者５の業務を支援するものであり、したがって、通関業者５のモニタ６０上に、該支援部３２によって提供されるデータ等が表示される。通関業者５は、必要なドキュメントを通関依頼支援部３２の支援の下で作成し、プリンタ７０により印字して税関４に提出することができる。
【００２４】
また、上述したように、本考案に係る評価残高管理システムを原材料輸出業務及び製品輸入業務の支援システムと組み合わせることによって、逆委託加工貿易に関するドキュメント及びデータ等を一括管理するシステムを構築することもでき、これにより、逆委託加工貿易の輸出入申告業務を支援するシステムを提供することができる。
【図面の簡単な説明】
【００２５】
【図１】通関に関連する業務を説明するための図である。
【図２】本考案に係る輸入通関申告に用いる加算要素の評価残高管理システムの構成を示す機能ブロック図である。
【図３】本考案の評価残高管理システムによってモニタ上に表示される船積依頼画面の一例を示す図である。
【図４】本考案の評価残高管理システムによってモニタ上に表示される評価インボイス（無償提供）入力画面の一例を示す図である。
【図５】本考案の評価残高管理システムによってモニタ上に表示される契約書の一例を示す図である。
【図６】本考案の評価残高管理システムによってモニタ上に表示される輸入評価引落入力画面の一例を示す図である。
【図１】
0003143413.tif 000003
【図２】
0003143413.tif 000004
【図３】
0003143413.tif 000005
【図４】
0003143413.tif 000006
【図５】
0003143413.tif 000007
【図６】
0003143413.tif 000008